(57)【要約】      （修正有）【課題】重心や曳航時の姿勢を維持したまま軽量化でき、移動および運搬の労力を下げることができ、水底の底質の硬軟を問わず使用が可能なドレッジを提供する。【解決手段】水底の堆積物や生物等を採取するドレッジであって、ドレッジの水平方向に対し斜めに取り付けられたカンナと、カンナを上下に装着した開口部枠３が、側面枠５のほぼ中心に取り付けられ各部が枠型で軽量化され、岸辺から素手で沖へ向かって投げられる小型サイズから、船舶を用いて曳航可能なサイズまで問題なく使える形状とした。また、開口部枠の側面（短辺部）にネジ等によって、側面枠部位を脱着・分解・組み立て可能で、持ち運びの際に開口部枠部内に収納できるようにした。さらに、小型化および軽量化により、曳航中にドレッジ本体が水底から浮上するのを防止する措置として本体前方へ錘等を追加可能とした。【選択図】図２
0003224300.tif 000002
【実用新案登録請求の範囲】
【請求項１】
水底の堆積物や生物等を採取するドレッジであって、前記ドレッジの水平方向に対し斜めに取り付けられたカンナと、前記カンナを上下に装着した開口部枠が、側面枠のほぼ中心に取り付けられかつ各部が枠型で軽量化されており、岸辺から素手で沖へ向かって投げられる小型サイズから、船舶を用いて曳航可能なサイズまでドレッジの大きさを変えても問題なく使える形状であることを特徴とするドレッジ。
【請求項２】
前記のドレッジの、開口部枠の側面（短辺部）にネジ等によって、側面枠部位を脱着・分解・組み立て可能で、持ち運びの際に開口部枠部内に収納できることを特徴とする請求項１に記載のドレッジ。
【請求項３】
小型化および軽量化により、曳航中にドレッジ本体が水底から浮上してしまう場合における措置としてのドレッジ本体前方へ取り付け可能な錘等を追加等することで水深の深浅、底質の硬軟を問わず使用できることを特徴とする請求項１または２に記載のドレッジ。
【請求項４】
曳航時や採集物が網袋に確保されるなどといった負荷が加えられた状態においても、重要部分は溶接等により固定されており、ドレッジ本体が破損しない強度を有していることを特徴とする請求項１〜３の何れか１項に記載のドレッジ。
【請求項５】
採集された底質や生物を確保するための布袋が結束バンド等を用いて簡便に装着でき、底質や生物の大きさに応じて目合いや大きさの異なる布袋を交換しやすいことを特徴とする請求項１〜４の何れか１項に記載のドレッジ。
【考案の詳細な説明】
【技術分野】
【０００１】  本発明は、岸辺から手投げで用いる小型サイズでも、小型船舶による曳航で用いる中型サイズまで同形状で対応可能で、生物および水底の堆積物採集を目的とした枠型の軽量ドレッジに関する。
【背景技術】
【０００２】  水底（海底、湖底等）の表面を構成している底質や、そこに棲息している生物等を採集することを目的とした器具として「採泥器」と呼ばれるものがある。採泥器には、その作動原理により、エクマンバージ式やスミスマッキンタイヤ式に代表されるグラブ採泥器、コアサンプラーに代表される柱状採泥器、円筒形もしくは箱型の容器を海底面上で引きずるドレッジ採泥器に大別される。【０００３】  底質が硬かったり、砂や礫が含まれる場合には、グラブ式や柱状採泥器では水底への貫入が妨げられるほか、底質が挟まることで開口部が閉まらないために、中身が零れ落ちてしまうため使用が困難となる場合がある。【０００４】  これらは、器具そのものが大きく重量も有しているため、船舶による曳航ならびに、船舶に付属するラインホーラーやＡフレームを用いて引き上げることを前提とするものが一般的であり、使用可能な水域が限定される。【０００５】  その点、ドレッジ採泥器はそのような欠点がなく、幅広い環境下で底質や生物を問わず幅広い使用目的のもと、歴史的にも最も古くから使用されてきた水底の調査器具である。
【先行技術文献】
【特許文献】
【０００６】
【特許文献１】特開２００３−１６１６７７号公報
【特許文献２】特開２０１０−２８５１３３号公報
【特許文献３】特開２０１５−９９０５９  号公報
【特許文献４】特開２０１７−１０６８４８号公報
【特許文献５】特開平１１  −２２７６８７号公報
【考案の概要】
【考案が解決しようとする課題】
【０００７】  従来のドレッジは主に箱型で、開口部後方に天板および底板を有し、様々な水底の土質強度に打ち勝って開口部を貫入させるために重心を後方に位置し、ドレッジ本体の重量を脱着可能な錘によって変化させる形で対応させているものである（特許文献５を参照）。いずれも一定の重量を有することで、水底へ貫入させるものであるが、本体の重量が重たくなれば船舶の機関出力や揚収装置、吊索等が比例して大きくなるほか、ドレッジを使用可能な場所も限定されてしまうという問題がある。【０００８】  また、大型で重量が重たくなれば、それだけ運搬や送付が困難になるという問題もある。【０００９】  さらに、底質がシルト質など非常に柔らかい場合には、水底へ貫入しすぎてアンカーのように埋没し曳航できなくなる問題もある。
【課題を解決するための手段】
【００１０】  上記課題を解決する本考案の請求項１に係る枠型軽量ドレッジは、通常のドレッジが有している天板、底板を撤去し、開口部ならびに側面をすべて枠型としたことを特徴とする。【００１１】  また、請求項２に係る組み立て式構造として開口部枠と側面を脱着可能かつ、分解時に開口部枠部品内に収納可能な形状とすることを特徴とする。【００１２】  水底着底時の静止状態において、ドレッジ開口部枠の長辺部が着底し、なおかつ曳航時に開口部枠が水底に対して水平にならない状態で採泥姿勢を保つことができるバランスを有していることを特徴とする。【００１３】  加えて、請求項３に係る錘等を追加できる構造を有することで、小型化および軽量化した場合でも水深の深浅、底質の硬軟を問わず使用できることを特徴とする。【００１４】  請求項４に係る、曳航時や採集物が網袋に確保るなどといった負荷が加えられた状態においてドレッジ本体が破損しない強度を有していることを特徴とする。【００１５】  請求項５に係る、採集された底質や生物を確保するための布袋が結束バンド等を用いて簡便に装着でき、底質や生物の大きさに応じて目合いや大きさの異なる布袋を交換しやすいことを特徴とする。
【考案の効果】
【００１６】  天板と底板を無くし、基本構造を枠型としたことで、重心や曳航時のドレッジ本体の姿勢を維持したまま軽量化を実現することができた。【００１７】  また、組み立て構造を採用することで、移動および運搬の労力を格段に下げることができた。【００１８】  ドレッジ本体の軽量化と、前方への錘等の追加可能な構造を有していることにより、水底の底質の硬軟を問わずドレッジの使用が可能となった。【００１９】  採集された底質や生物等を確保するための布袋の脱着が簡便になったことにより、調査中に底質や生物等の大きさに合わせて布袋を調節、交換することが可能となった。
【図面の簡単な説明】
【００２０】
【図１】側面図
【図２】正面図
【図３】開口部枠および側面枠の分解時
【図４】前方へ錘等を追加した場合の概要図
【図５】人力にて曳航する場合の実施例
【図６】小型船舶にて曳航する場合の実施例
【考案を実施するための形態】
【００２１】  以下、本考案を実施するための形態について実施例を参照して説明する。
【００２２】  開口部の長辺部分である上部（１）および下部（２）は本体前後の水平方向に対して、斜め前方に１００から３００°の傾きを与え、どちらが上下になっても水底に貫入できるように突き出すように取り付けられている（図１）。
【００２３】  開口部枠（３）の側面にはネジ等（４）が取り付けられており、側面枠（５）の脱着が可能であるが、脱着が不必要な場合もしくは、より強度を求める場合には溶接等で固定することも可能である（図１）。
【００２４】  開口部枠は側面枠の中心やや後方に位置し、静止状態でやや後方に傾き、開口部のカンナが水底に対して鋭角に貫入できるよう取り付けられている（図１）。
【００２５】  開口部正面の高さに対する幅は、１．５〜２倍の範囲として縮尺を設計することで着底および曳航時にドレッジの姿勢が偏ることなく底質や生物を採取することが可能である（図２）。
【００２６】  開口部枠に有する穴とレールにより、底質や生物等を確保する布袋（６）を結束バンド等で簡便に着脱が可能である（図３）。
【００２７】  ドレッジ本体前方に錘等（７）を追加できる（図４）
【実施例】
【００２８】  人力にて曳航可能であるため、船舶等が入れなかった浅海域や小規模な河川や湖沼、港湾内等でも使用できる（図６）。【００２９】  小型船舶によって曳航する場合、水深や流速によっては軽量化されたドレッジ本体が水底から浮き上がるため、前方に錘等の負荷を前方に取り付けてドレッジ本体の水底からの浮き上がりや開口部を下げて使用する（図５、７）。
【産業上の利用可能性】
【００３０】  従来のドレッジでは実施できなかった水域での使用が可能となり、特に底生生物（ベントス）調査を効率的に実施することができる機会が格段に増えると予想される。
【符号の説明】
【００３１】１  上部
２  下部
３  開口部枠
４  ネジ等
５  側面枠
６  布袋
７  錘等
【図１】
0003224300.tif 000003
【図２】
0003224300.tif 000004
【図３】
0003224300.tif 000005
【図４】
0003224300.tif 000006
【図５】
0003224300.tif 000007
【図６】
0003224300.tif 000008